(57)【要約】【課題】  複数の印刷ユニットを用いた輪転印刷機における印刷欠陥を少ない損紙量でもって監視できるようにする。【解決手段】  複数の印刷ユニット４ａ、４ｂ、４ｃ、４ｄを用いた輪転印刷機にて印刷される用紙の印刷面に画像読取り手段７の画像読取り部材を対向させて上記印刷面の印刷欠陥を監視する印刷欠陥監視装置であって、画像読取り手段７を印刷ユニット４ａ、４ｂ、４ｃ、４ｄの側方から用紙の走行ラインに対して前後進可能にすると共に、用紙の走行ラインに対して機外へ後退させた状態で用紙の走行ラインに沿って移動可能にした。【選択図】図２
2005111904.tif 000002
【特許請求の範囲】
【請求項１】
複数の印刷ユニットを用いた輪転印刷機にて印刷される用紙の印刷面に画像読取り手段の画像読取り部材を対向させて上記印刷面の印刷欠陥を監視する印刷欠陥監視装置において、
画像読取り手段を印刷ユニットの側方から用紙の走行ラインに対して前後進可能にすると共に、用紙の走行ラインに対して機外へ後退させた状態で用紙の走行ラインに沿って移動可能にした
ことを特徴とする印刷欠陥監視装置。
【請求項２】
輪転印刷機の外側で用紙の走行ラインと平行に設けた支持台に、この支持台に沿って移動可能にして固定する基台と、基台に対して昇降可能にした昇降台と、昇降台に対して直角方向に移動可能にしたスライドプレートと、このスライドプレートに用紙の走行方向に対して揺動可能に取付けた画像読取り手段とからなることを特徴とする印刷欠陥監視装置。
【請求項３】
基台を支持台の後方へ回動可能にし、後方へ回動した状態で支持台に沿って移動可能にしたことを特徴とする請求項２記載の印刷欠陥監視装置。
【発明の詳細な説明】
【技術分野】
【０００１】
本発明は、複数の印刷ユニットを用いた輪転印刷機においての印刷面の欠陥を監視するための印刷欠陥監視装置に関するものである。
【背景技術】
【０００２】
従来のこの種の印刷欠陥監視装置は、複数の印刷ユニットによる印刷ラインの最下流側に設置されていた（例えば、特許文献１参照）。また、この種の監視装置の画像読取り手段の画像読取り部材としては検査カメラや紙面監視センサが用いられる（例えば、特許文献２参照）。
【０００３】
【特許文献１】特開平７−１０１０４６号公報
【特許文献２】特公昭６２−１０３７７号公報
【発明の開示】
【発明が解決しようとする課題】
【０００４】
複数の印刷ユニットを有して印刷ラインが長い輪転印刷機の場合において、これらの全ての印刷ユニットを用いての多色印刷である場合には、印刷ラインの最下流側に監視装置を設けることは理にかなっているが、上流側の、例えば第１の印刷ユニットのみを用いた場合には、この印刷ユニットによる印刷物に欠陥が発生しても、この部分がいくつかの印刷ユニットを通過して監視装置による検出位置にきたときにはじめて上記印刷ユニットによる印刷に欠陥があることを検出することができるようになっているため、上記印刷欠陥が生じている印刷ユニットから監視装置までの紙パス分だけ検知が遅れることになり、その分の印刷物が損紙となり、無駄が多いという問題があった。
【課題を解決するための手段】
【０００５】
本発明は上記のことに鑑みなされたもので、複数の印刷ユニットを用いた輪転印刷機においての、上流側の１つあるいは２つ等少数の印刷ユニットを用いた場合においても、この使用される印刷ユニットによる印刷欠陥を直ちに検出して損紙量を少なくできるようにした印刷欠陥監視装置を提供しようとするもので、その構成は、複数の印刷ユニットを用いた輪転印刷機にて印刷される用紙の印刷面に画像読取り手段の画像読取り部材を対向させて上記印刷面の印刷欠陥を監視する印刷欠陥監視装置において、画像読取り手段を印刷ユニットの側方から用紙の走行ラインに対して前後進可能にすると共に、用紙の走行ラインに対して機外へ後退させた状態で用紙の走行ラインに沿って移動可能にした構成になっている。
【０００６】
また、本発明に係る印刷欠陥監視装置は、輪転印刷機の外側で用紙の走行ラインと平行に設けた支持台に、この支持台に沿って移動可能にして固定する基台と、基台に対して昇降可能にした昇降台と、昇降台に対して直角方向に移動可能にしたスライドプレートと、このスライドプレートに用紙の走行方向に対して揺動可能に取付けた画像読取り手段とからなる構成となっており、上記基台を支持台の後方へ回動可能にし、後方へ回動した状態で支持台に沿って移動可能にした。
【発明の効果】
【０００７】
本発明によれば、画像読取り手段を任意の印刷ユニットの下流側に選択的に設置できることにより、複数の印刷ユニットのうちの上流側の印刷ユニットのみを用いて印刷した場合に、この上流側で使用されている印刷ユニットの下流側に画像読取り手段を設置することにより、この印刷ユニットにて発生した印刷欠陥を発生直後で、下流側の印刷に関与していない印刷ユニットを経ることなしに検出でき、無駄な走行経路を必要とせずに印刷の不良品による無駄を最小限に抑えることができる。
【０００８】
そして上記のように、印刷欠陥をこれの発生直後に検出できることにより、その復帰処理を短時間ででき、時間的ロスを減少できる。そしてさらに、印刷スタート、停止時ともに製品の善し悪しの確認を早くでき、このことからも損紙量の減少を図ることができる。
【０００９】
そして上記印刷欠陥監視装置が、輪転印刷機の外側に設けた支持台に、この支持台に沿って移動可能にしたことにより、１台でもって各印刷ユニットに対応できる。また、印刷欠陥監視装置が支持台に対して後方へ回動可能にすると共に、後方へ回動した状態で支持台に沿って移動できることにより、画像読取り手段を後方へ移動するためのスライドプレートのストロークを小さくでき、装置の小型化を図ることができる。
【発明を実施するための最良の形態】
【００１０】
図１は本発明に係る印刷欠陥監視装置（以下、監視装置と略称する）１を用いる輪転印刷機を示すもので、この図において、２は用紙３を供給する給紙部、４は複数（例えば４台）の印刷ユニット４ａ、４ｂ、４ｃ、４ｄを有する印刷部、５は乾燥機、６は加工部である。そして上記監視装置１の画像読取り手段７は印刷部４の各印刷ユニット４ａ〜４ｄのそれぞれの下流側に選択的に挿入設置可能になっている。
【００１１】
上記監視装置１は図２以下に示すように、輪転印刷機の原動機側（後側）に用紙３の走行方向と平行に設けられた支持台８上に、この支持台８より後側に、この支持台８と平行に、かつ支持台８より低い位置に設けられたレール９に案内されて、支持台８の長手方向に移動可能に、かつ各印刷ユニット４ａ〜４ｄの下流側に画像読取り手段７が対向する位置に固定可能に載置されている。
【００１２】
監視装置１は、支持台８上に載置される基台１１を有し、この基台１１の後側に、この基台１１を支持台８上に載置した状態で上記レール９に係合するスライダ１２が設けてある。このスライダ１２はレール９に沿って移動自在に、かつレール９を中心に前後方向に回動可能に係合されている。また、基台１１の後側には、基台１１を上記レール９を中心にして支持台８より上方へ回動したときに床面に当接して上記支持台８と平行方向に転動するキャスタ１３が設けてある。
【００１３】
基台１１には高さ方向スライドガイド１４が立設してあり、この高さ方向スライドガイド１４に昇降台１５が上下方向にスライド自在に支持されている。この昇降台１５は図示しない昇降駆動装置にて昇降されるようになっている。１６はこの昇降台１５を昇降ストローク内における任意の位置に固定可能にした固定ハンドルである。昇降台１５の側面にはサドル１７が設けてあり、このサドル１７にスライドプレート１８が、このサドル１７に設けられたアリ溝等の案内部分に案内されて昇降台１５のスライド方向と直角方向である前後方向にスライド自在に支持されている。そしてこのスライドプレート１８に画像読取り手段７が支持されている。
【００１４】
画像読取り手段７はスライドプレート１８の側方に設けたブラケット１９に揺動可能にして前後方向に設けた揺動軸２０にブラケット２１を介して取付けてあり、この揺動軸２０をウォームホイール機構２２にて回動することにより画像読取り手段７が用紙３の走行方向に対して揺動するようになっている。
【００１５】
画像読取り手段７は両面監視型のもので、前側と左右を開放した溝状になっていて、この溝２３に対して上下に図示しないカメラあるいは紙面監視センサ等の画像読取り部材が内蔵されており、溝２３を通る用紙３の上・下の表面をそれぞれ上下の画像読取り部材にて監視できるようになっている。なお、２４は上下の画像読取り部材を保持する保持部の開口部を補強する補強部材であり、下側の保持部に回動自在に支持され、上側の保持部にボルト２５にて固着されるようになっている。
【００１６】
なお、図において、２６は監視装置１を支持台８に固定する固定ハンドル、２７はスライドプレート１８をサドル１７に対して移動する際に用いる取手、２８はスライドプレート１８を固定する固定ハンドル、２９は監視装置１を前後に回動するための取手である。
【００１７】
上記構成において、固定ハンドル２６をゆるめることにより、監視装置１の基台１１は支持台８との結合が解かれる。この状態で取手２９を持って監視装置１を、これのキャスタ１３が床面に接触するまで後側へ回動することにより、監視装置１はレール９に沿って支持台８と平行方向に移動することができる（図４参照）。そして監視装置１の画像読取り手段７が所定の印刷ユニットの下流側に対向する位置まで移動した状態で監視装置１を前側へ回動し、これの基台１１を支持台８に固定ハンドル２６で固定する。
【００１８】
この状態で、昇降台１５の高さを所定の位置に設定してこれを固定ハンドル１６にて固定してからスライドプレート１８を前側へ移動することにより、画像読取り手段７が用紙走行路内に挿入される（図３参照）。このとき、紙通しされている用紙３が画像読取り手段７の溝２３内に入り、これの上面と下面に画像読取り手段７内の画像読取り部材が対向され、これにより用紙３の上面と下面の絵柄が、画像読取り手段７に接続した図示しないモニタ等にて監視される。またこのとき、画像読取り手段７の画像読取り部材が用紙３と直角に対向するように、ウォームホイール機構２２により画像読取り手段７を用紙３の走行方向に対して揺動させて位置合わせを行う。
【００１９】
監視装置１は複数用いられている印刷ユニット４ａ〜４ｄのうち、印刷作動している印刷ユニットの最下流側の印刷ユニットの下流側に設置する。これにより、印刷直後の用紙３の上下の各面の印刷欠陥を検知できる。
【００２０】
上記状態から監視装置１を他の印刷ユニットの下流側へ移動するには、スライドプレート１８を後側へ移動して画像読取り手段７を後退させると共に、固定ハンドル２６をゆるめて支持台８との結合をはずして監視装置１を後方へ回動する。これにより、図４に示すように監視装置１は用紙３の走行方向において各印刷ユニット４ａ〜４ｄと干渉しない位置まで後退されると共に、レール９とキャスタ１３にて支持され、監視装置１はレール９に案内されると共にキャスタ１３の転勤により軽い力により所定の位置まで移動される。
【００２１】
上記監視装置１はスライドプレート１８によるスライドとレール９を支点とする回動を併用したことにより、印刷ユニット間からの後退のためのスライドプレート１８によるストロークを小さくすることができる。
【００２２】
なお、上記スライドプレート１８によるスライドストロークを大きくした場合、監視装置１は支持台８上に対して回動させる必要はなく、支持台８上を滑らせて移動するようにしてもよい。
【００２３】
また、上記実施の形態では、監視装置１の画像読取り手段７に、上下面を同時に監視可能にしたものを用いた例を示したが、これには、上面だけ、あるいは下面だけを監視できるものを用いてもよいことはもちろんである。
【図面の簡単な説明】
【００２４】
【図１】本発明を適用した輪転印刷機を示す正面図である。
【図２】本発明を適用した輪転印刷機を示す平面図である。
【図３】本発明装置の使用状態を示す作用説明図である。
【図４】本発明装置の不使用状態を示す作用説明図である。
【図５】本発明装置の要部を示す斜視図である。
【符号の説明】
【００２５】
１…印刷欠陥監視装置、２…給紙部、３…用紙、４…印刷部、４ａ、４ｂ、４ｃ、４ｄ…印刷ユニット、５…乾燥機、６…加工部、７…画像読取り手段、８…支持台、９…レール、１１…基台、１２…スライダ、１３…キャスタ、１４…高さ方向スライドガイド、１５…昇降台、１６，２６，２８…固定ハンドル、１７…サドル、１８…スライドプレート、１９，２１…ブラケット、２０…揺動軸、２２…ウォームホイール機構、２３…溝、２４…補強部材、２７，２９…取手。
【図１】
2005111904.tif 000003
【図２】
2005111904.tif 000004
【図３】
2005111904.tif 000005
【図４】
2005111904.tif 000006
【図５】
2005111904.tif 000007